(57)【特許請求の範囲】
【請求項１】
カドミウムイオン、有機化合物、並びに鉛イオン及び／又は亜鉛イオンを含有する排水に、中和剤を添加してｐＨを１０以上１２以下の範囲に調整するｐＨ調整工程と、
ｐＨ調整後の排水に硫化剤を添加して硫化処理を施す硫化工程と、
前記硫化処理後に得られたスラリー中の沈殿物を固液分離して除去する固液分離工程と、を少なくとも有し、
前記硫化工程では、酸化還元電位が銀塩化銀電極を参照電極とする値で−１５０ｍＶ以上−４５ｍＶ以下となるように、前記硫化剤の添加量を制御する
排水の処理方法。
【請求項２】
前記ｐＨ調整工程の前に、前記排水にケイ酸塩化合物を５ｍｇ／Ｌ以上２００ｍｇ／Ｌ以下添加するケイ酸塩添加工程を有する
請求項１に記載の排水の処理方法。
【発明の詳細な説明】
【技術分野】
【０００１】
本発明は、排水の処理方法に関する。詳しくは、カドミウム、有機化合物、並びに鉛イオン及び／又は亜鉛イオンを含有する排水の処理方法に関する。
【背景技術】
【０００２】
銅、ニッケル、鉛、亜鉛などの非鉄金属を製錬する工程においては、製錬に伴って発生した排水に、カドミウムイオン、鉛イオン、亜鉛イオンなどの重金属類や、有機化合物などが含まれている場合がある。これらを含有する排水は、そのまま海域などに放流することができず、適切な方法によって排水中のカドミウム、鉛、亜鉛などの重金属類を含む含有物を分離し、一定の基準以下の濃度にまで低減する処理が必要となる。例えば、非特許文献１に記載されるように、海域に放流される排水中のカドミウム濃度は０．０３ｍｇ／Ｌにまで低減する必要がある。
【０００３】
カドミウムを分離する方法としては、例えば以下の方法が挙げられる。すなわち、まず、カドミウムイオンを含有する排水を反応槽に入れ、これに消石灰や水酸化ナトリウムなどのアルカリ剤を加えることによってｐＨを上げてカドミウムを含有する澱物を含有するスラリーを得る。次に、このスラリーをシックナーなどで静置させることで、カドミウムを含有する澱物を沈降させて固液分離する。このようにしてカドミウムが分離除去された上澄み液は、排水として放流される。
【０００４】
ここで、海域に放流される排水中のカドミウム濃度を０．０３ｍｇ／Ｌにするためには、放流前の排水のｐＨを１１以上に維持する必要がある。
【０００５】
しかしながら、排水中に鉛イオンや亜鉛イオンも含有される場合、これら元素は両性金属であるため、ｐＨを過度に上昇させるとこれらの澱物が再度溶解することになり、溶解を防止するための上限値の制御が必要となる。具体的に、鉛イオンでは、ｐＨ８〜１１が沈殿生成に適しており、ｐＨが１１を超えると再溶解の傾向が強まる。また同様に、亜鉛イオンでは、ｐＨ８〜１１．５が沈殿生成に適しており、ｐＨが１１．５を超えると再溶解の傾向が強まる。このように、カドミウムの他に、鉛や亜鉛を含有する排水の場合、それらすべてを分離するには、ｐＨを狭い領域で精度よく制御する操業が必要となる。
【０００６】
一般に、製錬プロセスでは原料事情などに応じて操業度が細かく変化する。そのため、排水成分や濃度が変動しやすく、工業的に大量に排出される排水を安定的に処理することは容易でない。また、近年は、排水規制がさらに強化される傾向にあり、排水の管理が一層難しくなっている。
【０００７】
そこで、上記の方法において、ｐＨを調整する前の排水に硫酸第一鉄や塩化第二鉄などの鉄化合物を添加し、その後アルカリ剤を添加してｐＨを上昇させる方法が用いられてきている。この方法は、添加した鉄化合物を水酸化物の沈殿物とし、その際の共沈効果を利用してカドミウムを沈殿分離するというものである。
【０００８】
また、排水などの重金属類含有水に還元性鉄化合物を添加して重金属類を沈澱化し、この沈澱を固液分離して重金属類を除去する処理方法も提案されている。例えば、特許文献１には、重金属類含有水に還元性鉄化合物を添加する工程（鉄化合物添加工程）、還元性鉄化合物を添加した重金属類含有水から沈澱を生成させる工程（沈澱化工程）、生成した沈澱（汚泥）を固液分離する工程（固液分離工程）、分離した汚泥の全部又は一部をアルカリ性にして反応槽に返送する工程（汚泥返送工程）、を有し、沈澱化工程において、還元性鉄化合物を添加した排水とアルカリ性汚泥とを混合して、非酸化性雰囲気下、アルカリ性下で反応させて還元性の鉄化合物沈澱を生成させ、その沈澱に重金属類を取り込んで系外に除去する重金属類含有水の処理方法が開示されている。
【先行技術文献】
【特許文献】
【０００９】
【特許文献１】特開２００６‐２６３６９９号公報
【非特許文献】
【００１０】
【非特許文献１】新・公害防止の技術と法規２０１３水質編（産業環境管理協会  丸善出版）ｐ４４４−４４５
【発明の概要】
【発明が解決しようとする課題】
【００１１】
しかしながら、上述したような、排水のｐＨを調整するか、あるいは排水に鉄化合物を添加してｐＨを調整する方法においては、特に排水に有機化合物が含まれている場合、カドミウム濃度を安定的に低減することが困難となり、近年益々強化される排水基準を十分に満足することが難しい。このことは、有機化合物に起因するリン（Ｐ）、窒素（Ｎ）、炭素（Ｃ）、塩化物イオン（Ｃｌ）などが、排水中のカドミウムなどの重金属類と錯体を形成して、その重金属類の溶解度を上げるためであると考えられる。
【００１２】
なお、排水に含まれる有機化合物としては、例えば、鉄鋼加工時に鉄鋼材料の表面に塗布された油脂や表面処理剤などが挙げられる。これら有機化合物は、鉄鋼加工時に生じる鉄鋼ダストと共に回収され、これら回収物をリサイクルするために製錬原料として処理した際に、揮発・捕集・洗浄されて排水に含まれることになる。
【００１３】
また、特許文献１に記載の方法は、還元性鉄化合物を用いて反応槽を密閉することで重金属類の濃度を低減させる方法であり、従来から広く用いられてきた開放系の設備では、還元性鉄化合物が大気中の酸素と反応して酸化してしまうため使用することができない。そのため、この特許文献１に記載の方法を採用するためには、新たな投資が必要となり、費用がかさむなどの問題あって効率的ではない。
【００１４】
本発明は、このような実情に鑑みなされたものであり、カドミウムイオン、有機化合物、並びに鉛イオン及び／又は亜鉛イオンが含まれている排水中のカドミウムを効率よく安定的に低減することができる排水の処理方法を提供することを目的とする。
【課題を解決するための手段】
【００１５】
本発明者は、上述した課題を解決するために鋭意検討を重ねた。その結果、カドミウムイオン、有機化合物、並びに鉛イオン及び／又は亜鉛イオンが含まれている排水において、所定の範囲にｐＨを調整した後に、硫化剤を添加して排水の酸化還元電位を所定の範囲に制御するように硫化処理を施すことで、カドミウムイオンを効率よく安定的に低減できることを見出し、本発明を完成するに至った。
【００１６】
（１）本発明の第１の発明は、カドミウムイオン、有機化合物、並びに鉛イオン及び／又は亜鉛イオンを含有する排水に、中和剤を添加してｐＨを１０以上１２以下の範囲に調整するｐＨ調整工程と、ｐＨ調整後の排水に硫化剤を添加して硫化処理を施す硫化工程と、前記硫化処理後に得られたスラリー中の沈殿物を固液分離して除去する固液分離工程と、を少なくとも有し、前記硫化工程では、酸化還元電位が銀塩化銀電極を参照電極とする値で−４０ｍＶ以下となるように、前記硫化剤の添加量を制御する、排水の処理方法である。
【００１７】
（２）本発明の第２の発明は、第１の発明において、前記ｐＨ調整工程の前に、前記排水にケイ酸塩化合物を５ｍｇ／Ｌ以上２００ｍｇ／Ｌ以下添加するケイ酸塩添加工程を有する、排水の処理方法である。
【発明の効果】
【００１８】
本発明によれば、カドミウムイオン、有機化合物、並びに鉛イオン及び／又は亜鉛イオンが含まれている排水中のカドミウムを、効率よく安定的に低減することができる。
【図面の簡単な説明】
【００１９】
【図１】排水の処理方法を示すフロー図である。
【発明を実施するための形態】
【００２０】
以下、本発明の具体的な実施形態（以下、「本実施の形態」という）について詳細に説明する。なお、本発明は、以下の実施形態に限定されるものではなく、本発明の要旨を変更しない範囲で適宜変更することができる。また、本明細書にて、「ｘ〜ｙ」（ｘ、ｙは任意の数値）との表記は、特に断らない限り「ｘ以上ｙ以下」の意味である。
【００２１】
本実施の形態に係る排水の処理方法は、カドミウムイオン、有機化合物、並びに鉛イオン及び／又は亜鉛イオンを含有する排水に、中和剤を添加してｐＨを所定の範囲に調整するｐＨ調整工程と、ｐＨ調整後の排水に硫化剤を添加して硫化処理する硫化工程と、処理後のスラリーを固液分離する固液分離工程と、を少なくとも有する。
【００２２】
また、この排水の処理方法においては、ｐＨ調整工程に先立ち、排水にケイ酸塩化合物を所定の割合で添加するケイ酸塩添加工程を有するようにすることができる。
【００２３】
さらに、この排水の処理方法においては、硫化工程での硫化処理後、固液分離工程に先立ち、その硫化処理後に得られたスラリーに凝集剤を添加する凝集工程を有するようにすることができる。
【００２４】
ここで、処理対象である「排水」は、上述したように、カドミウムイオンと、有機化合物とを含有するとともに、鉛イオンと亜鉛イオンのいずれか１種以上を含有するものである。この排水は、自然発生的及び人為的に生じた各種の排水を含み、例えば、工場排水や下水、海水、河川水、沼や湖池の水、地表の溜り水、河川などの堰止域の水、地下の流水や溜り水、暗渠の水などが挙げられる。また、この排水には、カドミウムイオン、鉛イオン、及び亜鉛イオン以外に、例えば、セレン、六価クロム、銅、ニッケル、ヒ素、アンチモンなどの重金属類が含まれていてもよい。本実施の形態に係る排水の処理方法によれば、排水に含まれるカドミウムイオン、鉛イオン、及び亜鉛イオン以外の重金属類に対しても除去効果を有する。
【００２５】
また、排水に含まれる有機化合物としては、特に限定されるものではなく、自然発生的に含有するものであってもよく、鉄鋼加工時に鉄鋼材料の表面に塗布される油脂や表面処理剤のように、人為的に添加されたものであってもよい。
【００２６】
具体的に、図１は、本実施の形態に係る排水の処理方法の流れの一例を示すフロー図である。図１に示すように、この排水の処理方法は、ケイ酸塩添加工程Ｓ１と、ｐＨ調整工程Ｓ２と、硫化工程Ｓ３と、凝集工程Ｓ４と、固液分離工程Ｓ５と、を有している。以下に、各工程について詳細に説明する。
【００２７】
［ケイ酸塩添加工程］
ケイ酸塩添加工程Ｓ１では、ｐＨ調整に先立ち、処理対象である排水にケイ酸塩化合物を添加する。鉛イオンや亜鉛イオンを含有する排水では、次工程でのｐＨ調整に際して、その鉛や亜鉛が再溶解することがある。そのため、必要に応じて、このケイ酸塩添加工程Ｓ１を設けて、ｐＨ調整前の排水に対してケイ酸塩化合物を添加する。
【００２８】
このように、排水にケイ酸塩化合物を添加することによって、そのケイ酸塩が水に溶けてケイ酸イオンとなり、鉛及び／又は亜鉛と結合するようになることで、鉛や亜鉛の再溶解を抑制する。
【００２９】
ケイ酸塩化合物としては、特に限定されないが、例えば、水ガラスなどを用いることができる。また、ケイ酸塩化合物の添加量は、５ｍｇ／Ｌ〜２００ｍｇ／Ｌとすることが好ましく、３０ｍｇ／Ｌ〜１５０ｍｇ／Ｌとすることがより好ましく、５０ｍｇ／Ｌ〜１００ｍｇ／Ｌとすることが特に好ましい。ケイ酸塩化合物の添加量が５ｍｇ／Ｌ未満であると、鉛及び／又は亜鉛の再溶解を十分に抑制することができない。一方で、ケイ酸塩化合物の添加量が２００ｍｇ／Ｌよりも多くても、効果は変わらず、むしろ過剰に添加し過ぎることになって薬剤コストが高くなってしまう。
【００３０】
［ｐＨ調整工程］
ｐＨ調整工程Ｓ２は、処理対象である排水に中和剤を添加して、その排水のｐＨを所定の範囲に調整する。ｐＨ調整工程Ｓ２に先立ち、ケイ酸塩添加工程Ｓ１を設けた場合には、ケイ酸塩化合物を添加して得られた排水に対して中和剤を添加し、ｐＨを調整する。中和剤としては、特に限定されないが、例えば、消石灰、苛性ソーダ、生石灰、石灰石などのアルカリ剤を用いることができる。
【００３１】
具体的に、ｐＨ調整工程Ｓ２では、中和剤を添加することにより排水のｐＨを１０〜１２の範囲に調整する。ｐＨ１０〜１２の範囲に調整された排水では、カドミウムの溶解度が低く、ほとんどのカドミウムが水酸化物となって沈殿する。また、両性金属である亜鉛や鉛についても、ある程度の割合で水酸化物の沈殿物とすることができる。さらに、ｐＨを１０〜１２の範囲に調整することで、次工程の硫化工程Ｓ３において、硫化水素ガスの発生を抑えることができる。
【００３２】
一方、ｐＨが１０未満であると、カドミウムの溶解度が高くなってしまい、有効にカドミウムの沈殿を生成させることができない。また、ｐＨが１２より高いと、亜鉛や鉛の溶解度が高くなり過ぎてしまい、亜鉛や鉛の沈殿物がほとんど形成されない。
【００３３】
なお、このｐＨ調整工程Ｓ２におけるｐＨ調整では、亜鉛や鉛の溶解度が十分に低くならないため、その一部のみの沈殿物化に留まるものの、排水基準を満たす程度にまでは亜鉛や鉛を分離除去することができる。
【００３４】
［硫化工程］
硫化工程Ｓ３では、ｐＨ調整工程Ｓ２におけるｐＨ調整後の排水に硫化剤を添加することにより硫化処理を施して、金属硫化物を生成させる。硫化剤としては、硫化水素塩又は硫化塩を用いることができ、例えば、水硫化ソーダ（ＮａＳＨ）、硫化水素ガス、硫化ナトリウムなどを用いることができる。
【００３５】
排水中に有機化合物が含まれている場合、排水中のカドミウムはその有機化合物と錯体を形成してしまい、溶解度の上昇によって、ｐＨ調整後であっても排水中に溶解した状態のままとなる。このとき、ｐＨ調整後の排水に対して、硫化剤を添加して硫化処理を施すことにより、ｐＨ調整後の排水中に溶解しているカドミウムを金属硫化物として沈殿させることができ、排水中のカドミウムを確実に沈殿させることができる。また、この硫化工程Ｓ３において硫化処理を施すことで、亜鉛、鉛などの重金属類も金属硫化物として沈殿させることができ、排水から有効に除去することができる。
【００３６】
さらに、硫化工程Ｓ３では、ｐＨ調整工程Ｓ２でｐＨ１０〜１２の範囲に調整された排水に対して硫化処理を行うことから、硫化処理に伴う硫化水素ガスの発生を回避しながら、カドミウムなどの重金属類を金属硫化物として沈殿させることができる。
【００３７】
具体的には、この硫化工程Ｓ３では、排水の酸化還元電位（ＯＲＰ）が、銀塩化銀電極を参照電極とする値で−４０ｍＶ以下、好ましくは−２００ｍＶ〜−４０ｍＶの範囲、より好ましくは−１５０ｍＶ〜−３０ｍＶの範囲となるように、硫化剤の添加量を制御して硫化処理を施す。
【００３８】
酸化還元電位が−４０ｍＶを超えている場合には、排水中に溶解しているカドミウム、場合によって亜鉛や鉛を十分に沈殿させることができない。なお、酸化還元電位を下げるためには、硫化剤の添加量を増やすとよい。
【００３９】
一方、酸化還元電位が−２００ｍＶ未満となる場合には、硫化剤の添加量が過大となる傾向があるため好ましくない。硫化工程Ｓ３、凝集工程Ｓ４、固液分離工程Ｓ５を経て処理された排水は、最終的には、硫酸などを用いてｐＨを中性領域に調整する最終工程を経て放流されるが、このとき、硫化工程Ｓ３での硫化剤の添加量が過大であると、その最終工程におけるｐＨ調整に伴って硫化水素ガスが発生しやすくなるため、好ましくない。
【００４０】
ここで、硫化剤を添加するに際しては、排水中のカドミウムイオンに対して、例えば２当量〜７０当量となる量の硫化剤を添加するようにすることもできる。硫化剤の添加量がカドミウムイオンに対して２当量未満であると、排水中に溶解しているカドミウム、場合によって亜鉛や鉛を十分に沈殿させることができないことがある。一方で、硫化剤の添加量がカドミウムイオンに対して７０当量よりも多いと、排水中に溶解しているカドミウムイオンに対して過剰量の硫化剤が添加されることになり、カドミウムの沈殿化に寄与しない硫化剤が残存してしまい、また薬剤コストが高くなる。
【００４１】
ただし、上述したように、特に製錬プロセスからの排水を処理する場合には、原料組成や処理などによって排水中のカドミウム濃度が予め判明していない場合や変動が大きい場合がある。そのため、硫化工程Ｓ３において、酸化還元電位を参照せずに、硫化剤の添加量を決定しようとすると、排水中のカドミウム濃度の分析値が出るのを待ってから添加することになり、排水の処理に時間を要することになる。
【００４２】
これに対し、本実施の形態の係る排水の処理方法のように、硫化剤の添加に際して、排水の酸化還元電位を監視し、その酸化還元電位が−４０Ｖ以下に維持されるように硫化剤の添加量を制御することにより、排水中のカドミウム濃度が予め判明していない場合や変動が大きい場合であっても、濃度分析を要することなく、そのカドミウム濃度を効率よく且つ精度よく制御することができる。また、カドミウムがそのまま排出される事態を確実に防止することができる。
【００４３】
さらに、この排水の処理方法では、硫化処理時の硫化水素ガスの発生を抑えることができることから、従来のように硫化処理を行う反応槽を気密構造にする必要がなく、また、硫化水素ガスを吸引して取り除く必要もない。したがって、ｐＨ調整を行う設備の下流側の反応槽に硫化剤を添加及び供給する設備のみを設けることによって実施可能であり、従来の硫化処理用の設備と比較して、設備コストを大幅に低減することができる。
【００４４】
この排水の処理方法では、ｐＨ調整工程Ｓ２と、硫化工程Ｓ３との２段階の工程を経ることにより、ｐＨ調整工程Ｓ２において大部分のカドミウムを中和剤によって中和殿物とし、比較的高価な硫化剤を必要とする硫化工程Ｓ３での硫化処理を補助的な処理としてのみ行っていることから、硫化処理のみによって同等の分離回収率を達成する場合よりも、薬剤コストを大幅に低減することができる。
【００４５】
［凝集工程］
本実施の形態に係る排水の処理方法においては、硫化工程Ｓ３にて硫化処理を行った後、必要に応じて、凝集工程Ｓ４を設けるようにすることができる。
【００４６】
凝集工程Ｓ４では、硫化処理後に得られたスラリーに凝集剤を添加して、スラリー中の澱物、すなわち、カドミウム、亜鉛、鉛などの重金属類を含有する殿物を凝集させる。このように、スラリー中の澱物を凝集剤により凝集させることにより、次工程の固液分離工程Ｓ５において殿物を効率的に分離することが可能になる。
【００４７】
凝集剤としては、特に限定されるものではないが、例えば、無機凝集剤や高分子凝集剤を使用することができる。例えば、高分子凝集剤としては、ＭＴアクアポリマー株式会社製の商品名：スミフロックなどが市販されている。凝集剤の添加量は、凝集剤の種類や殿物の量などに応じて適宜決定することができる。
【００４８】
［固液分離工程］
固液分離工程Ｓ５では、スラリーに対して固液分離処理を施すことによって、そのスラリーから殿物を分離回収する。固液分離処理により、カドミウム、鉛、亜鉛がほぼ分離除去された排水を得ることができる。
【００４９】
固液分離工程Ｓ５では、一般的な固液分離方法を採用することができ、例えば、濾過装置、遠心脱水装置、シックナーなどの沈降分離装置などを用いた方法により処理することができる。
【００５０】
以上詳述したように、本実施の形態に係る排水の処理方法によれば、排水にカドミウムイオン以外に鉛イオンや亜鉛イオンを含有していても、また、有機化合物を含有していても、後述するように、ｐＨ調整工程と、硫化工程との２段階の工程を経ることにより、簡易なｐＨの調整でカドミウムなどの重金属類を安定して且つ低コストで低減させることができる。また、本実施の形態に係る排水の処理方法によれば、酸化還元電位が−４０Ｖ以下に維持されるように硫化剤の添加量を制御していることから、排水中のカドミウム濃度が予め判明していない場合や変動が大きい場合であっても、濃度分析を要することなく、大量の排水を効率よく処理することができる。さらに、本実施の形態に係る処理方法によれば、解放系の設備で行うことができるため、従来の解放系の設備を利用することができ効率的である。
【実施例】
【００５１】
［実施例１］
カドミウム１７ｍｇ／Ｌ、鉛１．２ｍｇ／Ｌ、亜鉛６７０ｍｇ／Ｌ、有機化合物としてアミン系含窒素有機化合物を窒素量として５０ｍｇ／Ｌを含む排水を用意した。
【００５２】
この排水に、ケイ酸ナトリウムを５０ｍｇ／Ｌの濃度となるように添加した後、中和剤として消石灰を用いて排水のｐＨが１０．５となるように調整して中和し、中和殿物を含有するスラリーを得た。
【００５３】
次に、このスラリーに、２５重量％濃度の水硫化ソーダ（ＮａＨＳ）溶液を、酸化還元電位（ＯＲＰ）が銀・塩化銀電極を参照電極とする値で−４５ｍＶになるように添加して硫化処理を施した。次いで、硫化処理後のスラリーに、ポリアクリルアミド系高分子凝集剤（商品名：スミフロックＦＡ−７０）を１０ｍｇ／Ｌの割合で添加した。凝集剤添加後のスラリーを静置し、次いで濾瓶とヌッチェを用いて濾過し、澱物と濾過後液とを得た。
【００５４】
得られた濾過後液について、高周波誘導結合プラズマ（ＩＣＰ）発光分光分析法を用いて分析した結果、カドミウム濃度が０．０１ｍｇ／Ｌ以下であり、鉛濃度が０．０１ｍｇ／Ｌであり、亜鉛濃度が０．５ｍｇ／Ｌであり、いずれも排水基準を満足する良好な結果が得られた。なお、ここで排水基準は、カドミウム濃度０．０３ｍｇ／Ｌ以下、鉛濃度０．１ｍｇ／Ｌ以下、亜鉛濃度２ｍｇ／Ｌ以下とする。
【００５５】
［比較例１］
水硫化ソーダを添加しなかった以外は、実施例１と同等の方法で処理を行った。すなわち、消石灰を用いて中和した後、硫化処理を施さずに、得られたスラリーに凝集剤を添加して中和澱物を凝集させ、濾過することによって澱物と濾過後液とを得た。
【００５６】
得られた濾過後液は、鉛濃度が０．０１ｍｇ／Ｌで、亜鉛濃度が０．６ｍｇ／Ｌであり排水基準を満たすものであったが、カドミウム濃度は１．２ｍｇ／Ｌであった。
【００５７】
［比較例２］
２５重量％濃度の水硫化ソーダ（ＮａＨＳ）溶液を、排水のＯＲＰが−２０ｍＶになるように添加した以外は、実施例１と同等の方法で処理を行った。
【００５８】
得られた濾過後液は、鉛濃度が０．０１ｍｇ／Ｌで、亜鉛濃度が０．６ｍｇ／Ｌであり排水基準を満たすものであったが、カドミウム濃度は０．０４ｍｇ／Ｌであった。
【００５９】
以上のように、本発明を適用した実施例１では、排水からカドミウムがほとんど除去され、また同時に亜鉛や鉛も有効に除去することができ、排水基準を満足する処理を行うことができた。一方、比較例１及び比較例２では、排水からカドミウムを十分に除去できず、排水基準を満足する処理を行うことができなかった。
【符号の説明】
【００６０】
Ｓ１  ケイ酸塩添加工程
Ｓ２  ｐＨ調整工程
Ｓ３  硫化工程
Ｓ４  凝集工程
Ｓ５  固液分離工程
【図１】
0006555182.tif 000002